(57)【要約】【課題】調整対象物からの脚体の突き出し量の微調整および大幅調整を共に、一箇所の操作部の操作により行えるようにする。【解決手段】調整対象物Ｐへの取り付けベース１と、取り付けベース１に上下方向のスライド移動可能に組み合わされる脚体２と、脚体２の外径よりも内径を大きくすると共に内周部に雌ネジ部３０を有し外周部を操作部３１として取り付けベース１に回転可能に組み合わされた回転操作体３と、回転操作体３の付勢体４とを備えている。脚体２は回転操作体３の内側に通されていると共に、脚体２は回転操作体３の雌ネジ部３０に噛み合う雄ネジ部２０ａを有しており、この雌ネジ部３０と雄ネジ部２０ａとが回転操作体３の回転操作により脚体２を上下方向に螺進退させるように付勢体４の付勢によって噛み合わされている。【選択図】図２
2008185074.tif 000002
【特許請求の範囲】
【請求項１】
調整対象物への取り付けベースと、
取り付けベースに上下方向のスライド移動可能に組み合わされる脚体と、
脚体の外径よりも内径を大きくすると共に内周部に雌ネジ部を有し外周部を操作部として取り付けベースに回転可能に組み合わされた回転操作体と、
回転操作体の付勢体とを備えており、
脚体は回転操作体の内側に通されていると共に、脚体は回転操作体の雌ネジ部に噛み合う雄ネジ部を有しており、この雌ネジ部と雄ネジ部とが回転操作体の回転操作により脚体を上下方向に螺進退させるように付勢体の付勢によって噛み合わされていることを特徴とする高さ調整機構。
【請求項２】
脚体における付勢体の付勢によって回転操作体と接する側と反対の側は無ネジ部とされていることを特徴とする請求項１記載の高さ調整機構。
【請求項３】
取り付けベースに脚体の通し部が形成されていると共に、脚体に形成された上下方向に長く続く回り止め部への組み合わせ部がこの通し部に形成されていることを特徴とする請求項１又は請求項２記載の高さ調整機構。
【請求項４】
調整対象物に取り付けベースを内装させてこの調整対象物の底面から突き出される脚体によって調整対象物を支持するようにしてあると共に、
調整対象物の側面に回転操作体の操作部の操作用開放部が形成されていることを特徴とする請求項１〜請求項３のいずれか１項に記載の高さ調整機構。
【発明の詳細な説明】
【技術分野】
【０００１】
この発明は、調整対象物の脚部となる脚体を備え、調整対象物からの脚体の突き出し量を可変調整することで、この調整対象物の全部又は一部のレベルを調整できるように構成された高さ調整機構の改良に関する。
【背景技術】
【０００２】
雄ネジを備えた脚部材と、この脚部材が貫通する筐体内にあって付勢部材によってこの脚部材の雌ネジに雄ネジを噛み合わせるロック部材とからなる上下調整機能付き脚がある。（特許文献１参照）この脚による上下調整は、微調整は脚部材を回転させての雌ネジと雄ネジの作用によりなされ、大幅な調整は筐体の外部に突出しているロック部材の一部を利用して付勢部材の付勢に抗してロック部材を移動させてなされる。すなわち、かかる脚にあっては、前記微調整と大幅調整とにおいて、操作すべき部分を異ならせるものであった。
【特許文献１】特開２００５−２２６７３９号公報
【発明の開示】
【発明が解決しようとする課題】
【０００３】
この発明が解決しようとする主たる問題点は、この種の高さ調整機構において、調整対象物からの脚体の突き出し量の微調整および大幅調整を共に、一箇所の操作部の操作により行えるようにする点にある。
【課題を解決するための手段】
【０００４】
前記課題を達成するために、この発明にあっては、高さ調整機構をを、以下の（１）〜（５）の構成を備えたものとした。
（１）調整対象物への取り付けベースと、
（２）取り付けベースに上下方向のスライド移動可能に組み合わされる脚体と、
（３）脚体の外径よりも内径を大きくすると共に内周部に雌ネジ部を有し外周部を操作部として取り付けベースに回転可能に組み合わされた回転操作体と、
（４）回転操作体の付勢体とを備えており、
（５）脚体は回転操作体の内側に通されていると共に、脚体は回転操作体の雌ネジ部に噛み合う雄ネジ部を有しており、この雌ネジ部と雄ネジ部とが回転操作体の回転操作により脚体を上下方向に螺進退させるように付勢体の付勢によって噛み合わされている。
【０００５】
操作部を利用して回転操作体を回転させると、付勢体の付勢により回転操作体の雌ネジ部は脚体の雄ネジ部に噛み合わされており、しかも、回転操作体は取り付けベースに回転可能に組み合わされていることから、脚体が螺進退され、取り付けベースからの下方に向けた脚体の突き出し量を微調整することができる。これにより、調整対象物のレベルを微調整することが可能となる。回転操作体の内径は脚体の外径よりも大きいことから、操作部を利用して付勢体の付勢に抗する向きに回転操作体を押し込むと回転操作体の雌ネジ部と脚体の雄ネジ部との噛み合わせを解くことができる。この噛み合わせを解くと脚体は回転操作体からフリーになることから、回転操作体を押し込みながら調整対象物を上下動させることで取り付けベースからの下方に向けた脚体の突き出し量を大幅に調整することができる。大幅調整後の位置で回転操作体の押し込みを止めれば付勢体の付勢により回転操作体の雌ネジ部を再び脚体の雄ネジ部に噛み合わせてこの大幅調整後の状態を安定的に維持させることができる。
【０００６】
前記脚体における付勢体の付勢によって回転操作体と接する側と反対の側を無ネジ部とさせておけば、前記大幅調整を回転操作体の雌ネジ部が脚体の無ネジ部に押し当たる位置まで回転操作体を押し込むことで操作性良く、また、スムースになすことができる。
【０００７】
前記取り付けベースに脚体の通し部を形成させると共に、脚体に形成された上下方向に長く続く回り止め部への組み合わせ部をこの通し部に形成させておくこともある。このようにした場合、回転操作体を回転させたときに脚体を連れ回りさせることなく、取り付けベースに支持された回転操作体の内周部を通る脚体をスムースに上下方向に進退させることができる。
【０００８】
調整対象物に取り付けベースを内装させてこの調整対象物の底面から突き出される脚体によって調整対象物を支持するようにすると共に、調整対象物の側面に回転操作体の操作部の操作用開放部を形成させておくようにすれば、この操作用開放部に臨んだ回転操作体の操作部の一部を指などで押してこの回転操作体を回転させることで調整対象物の底面からの脚体の突き出し量を微調整でき、また、この回転操作体を内方に強く押し込むことで回転操作体の雌ネジ部と雄ネジ部との噛み合いを解いてかかる脚体の突き出し量を大幅調整することができる。
【発明の効果】
【０００９】
この発明にかかる高さ調整機構によれば、調整対象物からの脚体の突き出し量の微調整および大幅調整を共に、回転操作体の操作部の操作により行うことができる。すなわち、かかる微調整は回転操作体の回転操作により、また、大幅調整は回転操作体の押し込み操作により、なすことでがきる。
【発明を実施するための最良の形態】
【００１０】
以下、図１〜図４に基づいて、この発明を実施するための最良の形態について説明する。
【００１１】
なお、ここで図１は実施の形態にかかる高さ調整機構Ａを含んで構成されたプロジェクターの一例を示しており、図２はこのプロジェクターの要部をその左右方向に沿って断面にして示している。図３は高さ調整機構Ａを、また、図４はこれを構成する脚体２と回転操作体３と付勢体４を、それぞれ示している。
【００１２】
この実施の形態にかかる高さ調整機構Ａは、調整対象物Ｐの脚部Ｐａとなる脚体２を備え、調整対象物Ｐからの脚体２の突き出し量を可変調整することで、この調整対象物Ｐの全部又は一部のレベルを調整できるようにするものである。
【００１３】
かかる調整機構Ａは、調整対象物Ｐに一箇所あるいは複数箇所備えられる。例えば、かかる調整機構Ａは、調整対象物Ｐの前側Ｐｂの中程に一箇所あるいはこの前側Ｐｂの左右に二箇所備えられ、このようにした場合、調整対象物Ｐの後側Ｐｃの底部Ｐｄを支点として調整対象物Ｐの前側Ｐｂのレベルを変えてその傾斜角を可変させることができる。調整対象物Ｐに二箇所以上調整機構Ａを備えさせた場合、こうした傾斜角のみならず調整対象物Ｐの水平調整も可能となる。より具体的には、かかる調整機構Ａは、例えば、プロジェクター（映写機）の脚部Ｐａとして用いられる。
【００１４】
かかる調整機構Ａは、
（１）取り付けベース１
（２）脚体２
（３）回転操作体３
（４）回転操作体３の付勢体４
を備えてなる。
【００１５】
取り付けベース１は、脚体２と回転操作体３と付勢体４との連係状態を確保しながらこれら調整対象物Ｐに備え付け可能とするものである。取り付けベース１は調整対象物Ｐの一部として調整対象物Ｐの筐体やフレームなどに形成されていても良い。図示の例では、かかる取り付けベース１は、天板１０と、底板１１と、この天板１０と底板１１との間に亘る向かい合った一対の側板１２、１２とを備えると共に、この一対の側板１２、１２の一方に前記回転操作体３の一部を突き出させる窓穴１３を備えたボックス状体として構成されている。かかる天板１０と底板１１とにはそれぞれ、貫通孔状をなす脚体２の通し部１４が形成されている。そして、図示の例では、調整対象物Ｐとしてのプロジェクター本体の前側の左右両側に、脚体２の下端部をこのプロジェクター本体の底面から突き出させるようにした状態で取り付けベース１を内蔵させることで、このプロジェクター本体に調整機構Ａを備えさせている。図示の例では、かかるプロジェクター本体の前側Ｐｂの側面には取り付けベース１の窓穴１３に連通する操作用開放部Ｐｆが形成されており、この操作用開放部Ｐｆから突き出される回転操作体３の操作部の一部を指などで押してこの回転操作体３を回転させることでプロジェクター本体の底面Ｐｅからの脚体２の突き出し量を微調整でき、また、この回転操作体３を内方に強く押し込むことで後述する回転操作体３の雌ネジ部３０と脚体２の雄ネジ部２０ａとの噛み合いを解いてかかる脚体２の突き出し量を大幅調整できるようになっている。
【００１６】
脚体２は、取り付けベース１に上下方向のスライド移動可能に組み合わされている。図示の例では、かかる脚体２は、軸部２０と、この軸部２０の下端部に取り付けられた接地体２１とから構成されている。接地体２１は、下部を球面状に構成しており、その上部中央に軸部２０の下端部が止め付けられている。
【００１７】
一方、回転操作体３は、脚体２の外径よりも内径を大きくすると共に内周部に雌ネジ部３０を有し外周部を操作部３１として取り付けベース１に回転可能に組み合わされている。図示の例では、かかる回転操作体３は、厚肉の筒状をなす主体部３２と、この主体部３２の上部筒口を巡る上側スリーブ部３３と、この主体部３２の下部筒口を巡る下側スリーブ部３４とを備え、その筒軸を縦向きに配するようにして取り付けベース１の天板１０と底板１１の内面間に支持されている。
【００１８】
そして、前記脚体２はかかる回転操作体３の内側に通されていると共に、脚体２はその軸部２０に回転操作体３の雌ネジ部３０に噛み合う雄ネジ部２０ａを有しており、この雌ネジ部３０と雄ネジ部２０ａとが回転操作体３の回転操作により脚体２を上下方向に螺進退させるように付勢体４の付勢によって噛み合わされている。
【００１９】
図示の例では、付勢体４は、取り付けベース１の窓穴１３が設けられた側板１２に向き合った側板１２側から回転操作体３を常時この窓穴１３が設けられた側板１２側に向けて押し、この付勢体４の押圧によって回転操作体３はかかる窓穴１３からその外周部の一部を外部に突き出させるようになっている。付勢体４は、図示の例では、上部巻回部４１と下部巻回部４２との間に亘る中間連接部４３と、上部巻回部４１から引き出されたバネ上端４４と、下部巻回部４２から引き出されたバネ下端４５とを備えたダブルトーションスプリング４０として構成されている。図示の例では、このスプリング４０は、その中間連接部４３を取り付けベース１の窓穴１３が設けられた側板１２に向き合った側板１２の内面に押し当て、かつ、バネ上端４４を回転操作体３の上側スリーブ部３３の外側に形成させた周回溝３３ａに入れ込むと共に、バネ下端４５を回転操作体３の下側スリーブ部３４の外側に形成させた周回溝３４ａに入れ込ませた状態で、その上部巻回部４１と下部巻回部４２とを弾性変形させるようにして取り付けベース１に内蔵されている。これにより図示の例では、回転操作体３は、取り付けベース１における窓穴１３が設けられた側板１２に向き合った側板１２の側からその雌ネジ部３０を脚体２の軸部２０の雄ネジ部２０ａに噛み合わすようになっている。回転操作体３の付勢体４は、回転操作体３をその回転妨げない態様でこのように脚体２に押し付けさせる付勢力を発揮させるものであればどのような構成のものであっても構わない。
【００２０】
操作部３１を利用して回転操作体３を回転させると、付勢体４の付勢により回転操作体３の雌ネジ部３０は脚体２の雄ネジ部２０ａに噛み合わされており、しかも、回転操作体３は取り付けベース１に回転可能に組み合わされていることから、脚体２が螺進退され、取り付けベース１からの下方に向けた脚体２の突き出し量を微調整することができる。これにより、調整対象物Ｐのレベルを微調整することが可能となる。回転操作体３の内径は脚体２の外径よりも大きいことから、操作部３１を利用して付勢体４の付勢に抗する向きに回転操作体３を押し込むと回転操作体３の雌ネジ部３０と脚体２の雄ネジ部２０ａとの噛み合わせを解くことができる。この噛み合わせを解くと脚体２は回転操作体３からフリーになることから、回転操作体３を押し込みながら調整対象物Ｐを上下動させることで取り付けベース１からの下方に向けた脚体２の突き出し量を大幅に調整することができる。大幅調整後の位置で回転操作体３の押し込みを止めれば付勢体４の付勢により回転操作体３の雌ネジ部３０を再び脚体２の雄ネジ部２０ａに噛み合わせてこの大幅調整後の状態を安定的に維持させることができる。
【００２１】
この実施の形態にあっては、かかる脚体２の軸部２０における付勢体４の付勢によって回転操作体３と接する側と反対の側は無ネジ部２０ｃとなっている。図示の例では、前記雄ネジ部２０ａは、かかる軸部２０における取り付けベース１における窓穴１３が設けられた側板１２に向き合った側板１２側に向けられた側部に、雌ネジ部３０に噛み合う雄ネジの一部２０ｂとなる山部と谷部とを交互に上下方向に多段状をなすように形成させることで、脚体２に備えられている。
【００２２】
これにより、この実施の形態にあっては、前記大幅調整を回転操作体３の雌ネジ部３０が脚体２の無ネジ部２０ｃに押し当たる位置まで回転操作体３を押し込むことで操作性良く、また、スムースになすことができるようになっている。
【００２３】
また、この実施の形態にあっては、取り付けベース１に形成された脚体２の通し部１４に、脚体２に形成された上下方向に長く続く回り止め部２０ｄへの組み合わせ部１４ａが形成されている。図示の例では、脚体２の軸部２０は前記雄ネジ部２０ａと雌ネジ部３０との間において、その直径方向両側にそれぞれ、この軸部２０の軸線方向に沿って長く延びるリブ状をなす回り止め部２０ｄを備えている。一方、取り付けベース１の通し部１４は、その直径方向両側にかかる回り止め部２０ｄのはまり込む切り欠き状をなす組み合わせ部１４ａを備えている。
【００２４】
これにより、この実施の形態にあっては、回転操作体３を回転させたときに脚体２を連れ回りさせることなく、取り付けベース１に支持された回転操作体３の内周部を通る脚体２をスムースに上下方向に進退させることができる。
【図面の簡単な説明】
【００２５】
【図１】高さ調整機構Ａの使用状態を示す斜視構成図
【図２】同断面構成図
【図３】高さ調整機構Ａの斜視構成図
【図４】同要部斜視構成図
【符号の説明】
【００２６】
Ｐ  調整対象物
Ａ  調整機構
１  取り付けベース
２  脚体
２０  軸部
２０ａ  雄ネジ部
３  回転操作体
３０  雌ネジ部
３１  操作部
４  付勢体
【図１】
2008185074.tif 000003
【図２】
2008185074.tif 000004
【図３】
2008185074.tif 000005
【図４】
2008185074.tif 000006